(57)【要約】【課題】透光カバーの装飾を適時に変更可能であり、透光カバーの装飾を適時に変更したい利用者のニーズに応えることができる。【解決手段】灯体３の周囲に設けられる略円筒形若しくは略截頭円錐形の透光カバー１１と、透光カバー１１の外周に周設されて透光カバー１１を被覆する略方形若しくは略扇形で光透過性の装飾シート１３とを備え、装飾シート１３の上辺に透光カバー１１の上縁と係合するクリップ１５が設けられ、装飾シート１３の両側辺に両側辺近傍を着脱自在に固着するマジックテープ凹面１６とマジックテープ凸面１７が設けられる照明器具。【選択図】図１
0003123395.tif 000002
【実用新案登録請求の範囲】
【請求項１】
灯体の周囲に設けられる略円筒形若しくは略截頭円錐形の透光カバーと、透光カバーの外周に略密接して周設され透光カバーを被覆する略方形若しくは略扇形で光透過性の装飾シートとを備え、装飾シートの上辺に透光カバーの上縁と係合するクリップが設けられ、装飾シートの両側辺に両側辺近傍を着脱自在に固着する固着部が設けられることを特徴とする照明器具。
【請求項２】
照明器具の灯体の周囲に設けられる略円筒形若しくは略截頭円錐形の透光カバーの外周に略密接して周設され、透光カバーを被覆する略方形で光透過性の装飾シートであって、上辺に透光カバーの上縁と係合するクリップが設けられ、両側辺に両側辺近傍を着脱自在に固着する固着部が設けられることを特徴とする装飾シート。
【請求項３】
前記装飾シートを防縮加工が施されている布で構成することを特徴とする請求項２記載の装飾シート。
【請求項４】
前記装飾シートを樹脂フィルム、若しくは樹脂フィルムに布を貼着した積層材で構成することを特徴とする請求項２記載の装飾シート。
【考案の詳細な説明】
【技術分野】
【０００１】
本考案は、透光カバーに装飾が施される照明器具及びその照明器具に用いる装飾シートに関する。
【背景技術】
【０００２】
従来、透光カバーに装飾が施される照明器具が知られている。例えば特許文献１には、石風模様を形成した真綿で透光カバーを覆い、透光カバーの裏側から光源で照明しながら表側から吹付塗装を行うことにより、透光カバーに石風模様が形成される照明器具や、透光カバーの裏面に和紙を貼り付けて石風模様が形成される照明器具が記載されている。
【０００３】
【特許文献１】特開平９−２４５５１０号公報
【考案の開示】
【考案が解決しようとする課題】
【０００４】
しかしながら、透光カバーの装飾を塗料の塗布や和紙の貼着で行った場合、透光カバーの装飾が固定されてしまい、変更することができなくなる。そのため、室内の模様替えに応じて透光カバーの装飾を変更する等、透光カバーの装飾を適時に変更したい利用者のニーズに応えることができない。
【０００５】
本考案は上記課題に鑑み提案するものであって、透光カバーの装飾を適時に変更可能であり、透光カバーの装飾を適時に変更したい利用者のニーズに応えることができる照明器具及びその照明器具に用いる装飾シートを提供することを目的とする。
【課題を解決するための手段】
【０００６】
本考案の照明器具は、灯体の周囲に設けられる略円筒形若しくは略截頭円錐形の透光カバーと、透光カバーの外周に略密接して周設され透光カバーを被覆する略方形若しくは略扇形で光透過性の装飾シートとを備え、装飾シートの上辺に透光カバーの上縁と係合するクリップが設けられ、装飾シートの両側辺に両側辺近傍を着脱自在に固着する固着部が設けられることを特徴とする。
【０００７】
また、本考案の装飾シートは、照明器具の灯体の周囲に設けられる略円筒形若しくは略截頭円錐形の透光カバーの外周に略密接して周設され、透光カバーを被覆する略方形で光透過性の装飾シートであって、上辺に透光カバーの上縁と係合するクリップが設けられ、両側辺に両側辺近傍を着脱自在に固着する固着部が設けられることを特徴とする。
【０００８】
上記装飾シートは、糊付けした布や樹脂加工を施した布など防縮加工が施されている布で構成すると、使用時に弛んで皺になり装飾模様等が崩れることを防止できて好適であり、又、樹脂フィルム、若しくは樹脂フィルムに布を貼着した積層材で構成しても良好であるが、上記装飾シートは光を透過可能な適宜の素材で構成することが可能であり、例えば糊付けされていない通常の布等としてもよい。
【０００９】
尚、装飾シートの装飾は、模様、凹凸で表現される形状、色彩或いはこれらの適宜の組み合わせとすることが可能であり、例えば布に縫い込んだ模様や色彩、樹脂フィルムに塗料で形成された色彩や模様、樹脂フィルムの外表面に形成された凹凸等とすることができる。また、上記固着部は、両側辺近傍を着脱自在に固着可能な適宜の構成とすることが可能であるが、一方の側辺に沿って設けられる固着片と他方の側辺に沿って設けられる固着片が係着する構成とすると好適であり、例えば凸面テープと凹面テープで構成されるマジックテープ（登録商標）や、樹脂フィルムに形成されるチャックのように、装飾シートの一方の側辺に沿って設けられる断面視略Ω形の凸条と他方の側辺に沿って設けられる断面視略Ω形の凹溝を嵌合する構成等とすることが可能である。
【考案の効果】
【００１０】
本考案の照明器具及び装飾シートは、クリップを透光カバーの上縁に係合し、両側辺近傍を着脱自在な固着部で固着して、装飾シートを簡単に且つ安定した状態で透光カバーの外周に設けることができると共に、固着部の固着を外し、クリップの係合を外して、装飾シートを簡単に取り外すことができる。従って、透光カバーの装飾を適時に変更することが可能であり、透光カバーの装飾を適時に変更したい利用者のニーズに十分に応えることができる。
【００１１】
また、例えば角筒形の透光カバーに装飾シートを周設する場合、角筒の角部で装飾シートが角部に密接或いは近接せずに離れていまい、美観を損ねることになるが、本考案では装飾シートが設けられる透光カバーを略円筒形や略截頭円錐形とし、装飾シートを透光カバーに略密接して周設することにより、照明器具の優れた美観を実現することができる。
【考案を実施するための最良の形態】
【００１２】
本考案の装飾シートを有する照明器具の実施形態について説明するが、本考案は以下の実施形態に限定されるものではない。
【００１３】
本実施形態の照明器具１は、図１及び図２に示すように、ケーシング２の下側に灯体３が設けられていると共に、ケーシング２の上側からコード４が引き出されている。コード４の先端には取付アダプタ５を有し、天井６に設置された電源を供給する引掛シーリング７に取付アダプタ５を引っ掛けることにより、照明器具１は天井６に取り付けられる。１２は電源をＯＮ・ＯＦＦするスイッチである。尚、本実施形態の灯体３は白熱灯としているが、灯体３は照明灯として機能するものであれば適宜であり、例えばＬＥＤや蛍光灯等とすることが可能である。
【００１４】
ケーシング２の略上部には側方へ突出する略く字形の支持部材８が三方や四方など複数方向へ設けられており、複数の支持部材８の先端には板状のリング９が固着され、リング９は複数の支持部材８の先端で支持されている。リング９の下側には、リング９と同径の板状のリング１０が所定距離離間して配設されており、リング９、１０の外周に樹脂製で方形フィルム状の透光カバー１１が貼着されている。透光カバー１１は、リング９の上端からリング１０の下端までに対応する高さを有し、透光カバー１１の上縁内周面がリング９の外周面に接着され、透光カバー１１の下縁内周面がリング１０の外周面に接着され、更に、両側辺が相互に接着されて、リング９、１０の外径と略同径の円筒形状になっている。
【００１５】
透光カバー１１の外周には、装飾シート１３が周設される。装飾シート１３は、光を透過可能な布製で、所定の模様が縫い付けられている方形の基体１４を有し、基体１４の上辺近傍の内面に縫製や接着等で取り付けられるクリップ１５が複数設けられている。クリップ１５は、下方に凹側を向け且つ基体１４の内側に向けて配置される側面視略Ｕ字形であり、基体１４の上辺から部分的に上方へ突出し、その先端は上辺より下側に位置している。更に、基体１４の一方の側辺近傍の外面には、前記一方の側辺に沿って縫い付けられているマジックテープ凹面１６が設けられ、基体１４の他方の側辺近傍の内面には、前記他方の側辺に沿って縫い付けられているマジックテープ凸面１７が設けられている。
【００１６】
装飾シート１３は、貼着で一体化されたリング９と透光カバー１１との上縁の外側に複数（本例では３個）のクリップ１５を引っ掛けて係合し、その内面を円筒形の透光カバー１１の外周面に沿わすように配設され、円筒形透光カバー１１の長手方向に沿って配置される前記一方の側辺のマジックテープ凹面１６に前記他方の側辺のマジックテープ凸面１７を押し付け、マジックテープ凹面１６と凸面１７を固着して、透光カバー１１の外周を被覆するように取り付け、装飾シート１３は略円筒形とされる。透光カバー１１の外周に設けられた装飾シート１３の所定模様は、基体１４が光を透過可能であることから、灯体３の点灯した際に照らし出されることになる。
【００１７】
そして、前記マジックテープ凹面１６と凸面１７で構成される固着部は着脱自在であるから、別の模様が基体１４に縫い付けられている別の装飾シート１３を取り付けて模様を変更する場合には、マジックテープ凹面１６と凸面１７の固着を外し、クリップ１５の係合を外して上記所定模様の装飾シート１４を取り外し、前記別の模様の装飾シート１３を、上記所定模様の装飾シート１３の取付と同様に、クリップ１５の係合とマジックテープ凹面１６と凸面１７の固着で取り付けで、簡単に変更することができる。
【００１８】
尚、上記実施形態では、外径が略同径のリング９、１０の外周面に方形の透光カバー１１の上辺近傍と下辺近傍の内面を接着し、灯体３の周囲に略円筒形の透光カバー１１を設け、透光カバー１１の外周面に内面を密接或いは近接するようにして略方形の装飾シート１３を周設する構成としたが、変形例として、リング１０の外径をリング９の外径よりも大きくし、扇形の透光カバー１１の上辺近傍と下辺近傍の内面をそれぞれリング９の外周面とリング１０の外周面に接着し、灯体３の周囲に略截頭円錐形の透光カバー１１を設けると共に、上記実施形態と同様に、上辺と両側辺にクリップ１５とマジックテープ凹面１６、凸面１７が設けられた扇形の装飾シート１１を用い、リング９と透光カバー１１との上縁の外側にクリップ１５を係合し、マジックテープ凹面１６と凸面１７を固着して、略截頭円錐形の透光カバー１１の外周面に内面を密接或いは近接するようにして略扇形の装飾シート１３を周設し、略截頭円錐形の装飾シート１３を配設する構成等としてもよい。
【産業上の利用可能性】
【００１９】
本考案は、例えば吊下式やスタンド式の照明器具に利用することができる。
【図面の簡単な説明】
【００２０】
【図１】実施形態の照明器具で装飾シートを部分的に係合した状態を示す正面図。
【図２】実施形態の照明器具を示す正面図。
【符号の説明】
【００２１】
１  照明器具
２  ケーシング
３  灯体
４  コード
５  取付アダプタ
６  天井
７  引掛シーリング
８  支持部材
９、１０  リング
１１  透光カバー
１２  スイッチ
１３  装飾シート
１４  基体
１５  クリップ
１６  マジックテープ凹面
１７  マジックテープ凸面
【図１】
0003123395.tif 000003
【図２】
0003123395.tif 000004